(57)【要約】【課題】  粗大異物の選別能力に制約されることなく先行して細塵の選別除去とその飛散浮遊防止を十分に達成したうえ、粗大異物の効果的な選別除去を実現することができる穀物選別方法およびその装置を提供する。【解決手段】  穀物選別装置１は、被選別穀物に混在する細塵を風力により選別する先行細塵除去処理部２と、先行細塵除去処理部２で細塵を除去された被選別穀物から粗大異物を分離排出する後続粗大異物除去処理部３とで構成する。後続粗大異物除去処理部３は、傾斜多孔選別板１８と、傾斜多孔選別板１８の上面を覆う可撓性でかつ多孔状の飛散防止シート１９と、傾斜多孔選別板１８を振動させる電動加振機２３を備えている。【選択図】  図１
2009254966.tif 000002
【特許請求の範囲】
【請求項１】
被選別穀物に混在する細塵および粗大異物を選別して除去する穀物選別方法であって、
被選別穀物に混在する細塵を風力により選別する先行細塵除去処理と、
前記先行細塵除去処理された被選別穀物を、傾斜する多孔選別面に通気性を有する飛散防止シートで浮動状に押さえながら流下させる過程で、穀粒を透過方向にかつ粗大異物を流下方向に互いに引き離して粗大異物を分離排出する後続粗大異物除去処理とによる
ことを特徴とする穀物選別方法。
【請求項２】
被選別穀物に混在する細塵および粗大異物を選別して除去する穀物選別装置であって、
被選別穀物に混在する細塵を風力により選別する先行細塵除去処理部と、
前記先行細塵除去処理部で細塵を除去された被選別穀物から粗大異物を分離排出する後続粗大異物除去処理部とで構成され、
前記後続粗大異物除去処理部は、傾斜多孔選別板と、この傾斜多孔選別板の上面を覆う可撓性でかつ多孔状の飛散防止シートと、傾斜多孔選別板を振動させる加振手段とを備えて成る
ことを特徴とする穀物選別装置。
【請求項３】
傾斜多孔選別板の上面を覆う飛散防止シートは、傾斜多孔選別板の傾斜上端側で固定して略全面が上下浮動可能に設けてあることを特徴とする請求項２記載の穀物選別装置。
【請求項４】
傾斜多孔選別板の上面とその上面を覆う飛散防止シートとの間には、傾斜多孔選別板の上面に飛散防止シートとの密着防止手段が施されていることを特徴とする請求項２記載の穀物選別装置。
【請求項５】
傾斜多孔選別板を振動させる加振手段は、傾斜多孔選別板に電動加振機を取り付けて構成されていることを特徴とする請求項２記載の穀物選別装置。
【発明の詳細な説明】
【技術分野】
【０００１】
本発明は、収穫した穀物に混在する土埃りなどの細塵ならびに藁屑、土塊、石塊、草木類、小動物の死骸、金属片およびプラスチック片などの粗大異物を選別して除去する穀物選別方法およびその装置に関するものである。
【背景技術】
【０００２】
収穫した穀物には土埃りなどの細塵から藁屑、土塊、石塊、草木類、小動物の死骸、金属片およびプラスチック片などの粗大異物（夾雑物）が混在しているので、乾燥後または乾燥前に粗選別してこれらの異物を除去する処理を必要とする。従来、そのための選別装置としては、特開平１０−５２１６２号公報が紹介するように、多孔選別面上を投入した被選別穀物層にその下方から上方に向け通風して流動層を形成することにより、穀物中から細塵を分離して上方に排出し、流動層選別部に流動層となって整粒とともに残る粗大異物は流動層選別部から整粒と粗大異物に分離して排出するようになっている。
【０００３】
なお、穀物乾燥機において被乾燥穀物の搬送経路に振動篩を介在させた構成は実用新案登録第３０３２３２９号公報に掲載されており、また、穀物の石抜機において選別多孔板の一部上面を吹上飛散防止網で覆った構成は特開２０００−３４３０３９公報に掲載されている。
【特許文献１】特開平１０−５２１６２号公報
【特許文献２】実用新案登録第３０３２３２９号公報
【特許文献３】特開２０００−３４３０３９公報
【発明の開示】
【発明が解決しようとする課題】
【０００４】
前掲の特開平１０−５２１６２号公報に開示されているように、被選別穀物層にその下方から上方に向け通風して流動層を形成することにより、穀物中から細塵を分離して上方に吹き上げ排出するとともに、残留細塵とともに被選別穀物を流動層選別部から排出するものであるから、流動層選別部に送風される圧風により特に細塵が装置の周辺に飛散浮遊して作業環境を著しく悪くするので、細塵排出のために設けられている吸引ファンの能力強化とそれによる装置の吸引排風状態を適切に保たない限り、細塵飛散浮遊に起因する作業環境悪化の問題を解消することはできず、従来のこの種装置にあっては、現実的にその問題を解決することは不可能であった。
【０００５】
すなわち、この種の装置においては、吸引ファンによる吸引能力（負圧状態）が圧風による流動層選別に密接に関わるので、細塵飛散を防止するため吸引ファンの吸引能力を増強すると流動層選別の選別状態を大きく変乱させることが避けられず、殊に、細塵飛散防止のうえから吸引ファンの吸引能力を高く設定すると、細塵の除去とその飛散浮遊防止効果は良好であっても、藁屑や草木類のように穀粒の層に絡み付くように混在する粗大異物は多くが選別除去されないままとなる。
【０００６】
そこで、本発明は、先行細塵除去処理された被選別穀物を、傾斜する多孔選別面に通気性を有する飛散防止シートで浮動状に押さえながら流下させる過程で、穀粒を透過方向にかつ粗大異物を流下方向に互いに引き離して粗大異物を分離排出する後続粗大異物除去処理をすることにより、粗大異物の選別能力に制約されることなく先行して細塵の選別除去とその飛散浮遊防止を十分に達成したうえ、粗大異物の効果的な選別除去を実現することができる穀物選別方法およびその装置を提供することを目的とするものである。
【課題を解決するための手段】
【０００７】
前記目的を達成するための本発明の請求項１に係る穀物の選別方法は、被選別穀物に混在する細塵および粗大異物を選別して除去する穀物選別方法であって、被選別穀物に混在する細塵を風力により選別する先行細塵除去処理と、前記先行細塵除去処理された被選別穀物を、傾斜する多孔選別面に通気性を有する飛散防止シートで浮動状に押さえながら流下させる過程で、穀粒を透過方向にかつ粗大異物を流下方向に互いに引き離して粗大異物を分離排出する後続粗大異物除去処理とによることを特徴とするものである。
【０００８】
また、前記目的を達成するための本発明の請求項２に係る穀物の選別装置は、被選別穀物に混在する細塵および粗大異物を選別して除去する穀物選別装置であって、被選別穀物に混在する細塵を風力により選別する先行細塵除去処理部と、前記先行細塵除去処理部で細塵を除去された被選別穀物から粗大異物を分離排出する後続粗大異物除去処理部とで構成され、前記後続粗大異物除去処理部は、傾斜多孔選別板と、この傾斜多孔選別板の上面を覆う可撓性でかつ多孔状の飛散防止シートと、傾斜多孔選別板を振動させる加振手段とを備えて成ることを特徴とするものである。
【０００９】
本発明の請求項２に係る穀物の選別装置においては、傾斜多孔選別板の上面を覆う飛散防止シートを、傾斜多孔選別板の傾斜上端側で固定して略全面が上下浮動可能に設けてあること、傾斜多孔選別板の上面とその上面を覆う飛散防止シートとの間に、傾斜多孔選別板の上面に飛散防止シートとの密着防止手段が施されていること、および多孔選別板を振動させる加振手段は、傾斜多孔選別板に電動加振機を取り付けて構成されていることが好適である。
【発明の効果】
【００１０】
本発明によれば、先行細塵除去処理された被選別穀物を、傾斜多孔選別面に通気性を有する飛散防止シートで浮動状に押さえながら流下させる過程で、穀粒を透過方向にかつ粗大異物を流下方向に互いに引き離して粗大異物を分離排出する後続粗大異物除去処理をすることにより、粗大異物の選別能力に制約されることなく先行して細塵の選別除去とその飛散浮遊防止を十分に達成したうえ、粗大異物の効果的な選別除去を実現することができる効果が得られるものである。
【発明を実施するための最良の形態】
【００１１】
図面は本発明の一実施の形態に係る穀物選別装置を示し、図１は断面図、図２は斜視図、図３は要部の作用説明図である。
【００１２】
本発明に係る穀物選別装置１は、被選別穀物に混在する細塵を風力により選別する先行細塵除去処理部２と、先行細塵除去処理部２で細塵を除去された被選別穀物から粗大異物を分離排出する後続粗大異物除去処理部３とで構成されている。
【００１３】
先行細塵除去処理部２は、多孔選別板４で上下に仕切ってその上部を選別室５とし、かつその下部を圧風送風室６として、圧風送風室６には圧風送風機７を備えており、選別室５および圧風送風室６により選別閉空間８が形成されている。選別室５にはその上方に連なる排塵のための吸引閉空間９が設けられており、この吸引閉空間９の上部には負圧調整室１０が形成されていて、吸引閉空間９内の空気が負圧調整室１０を経て吸引排風機１１により吸引排出されるように構成されている。負圧調整室１０内には多孔筒状フィルタ１２を設けてあってその周囲を吸引風の旋回路１３としてあり、旋回路１３の下部の塵埃吸出口１４と吸引排風機１１の吸引側は排塵ダクト１５によって連通させてある。また、多孔筒状フィルタ１２の一端（または両端）と圧風送風機７の吸引側とをダクト１６により連通させてあり、選別室５内に多孔選別板４を透過して圧風送風機７により送風される圧風の風圧を自動平衡調整されるように構成してある。負圧調整室１０の前面は開閉蓋１７により開閉できる点検窓となっている。
【００１４】
多孔選別板４で仕切ってその上部に形成した選別室５は、その前面が開放状と成っていて、その開放された部分の多孔選別板４と略同高位置には前方に向かって後続粗大異物除去処理部３が設けられている。後続粗大異物除去処理部３は、傾斜する傾斜多孔選別板１８と、この傾斜多孔選別板１８の上面を覆う可撓性でかつ多孔状の飛散防止シート１９と、傾斜多孔選別板１８を振動させる加振手段２０とで構成されている。傾斜多孔選別板１８は穀粒を透過させる孔径の多孔板であって、傾斜多孔選別板１８は選別室５の多孔選別板４よりやや高い位置を基端として前方に傾斜して設けられている。したがって、選別室５と後続粗大異物除去処理部３の傾斜多孔選別板１８との境が堰２１を成している。
【００１５】
傾斜多孔選別板１８の上面を覆う飛散防止シート１９は、傾斜多孔選別板１８の傾斜上端側で固定して略全面が上下浮動可能に設けてある。飛散防止シート１９は、穀粒が透過しない孔径の通気性に富んだ多孔シートである。傾斜多孔選別板１８の上面とその上面を覆う飛散防止シート１９との間には、傾斜多孔選別板１８の上面に飛散防止シート１９との密着防止手段が施されており、図示の実施の形態では、傾斜多孔選別板１８の上面に間隔保持のための突起２２を複数適間隔に配置した構成としている。図示の実施の形態において傾斜多孔選別板１８を振動させる加振手段２０は、傾斜多孔選別板１８の裏面下端部に電動加振機２３を取り付けて構成しているが、傾斜多孔選別板１８に対する電動加振機２３の取り付位置などは必ずしも図示の態様に限るものではない。２４は穀粒流下案内樋である。傾斜多孔選別板１８はその傾斜下端側を支持脚２７により設置面に支持しており、支持脚２５の下端には設置面に対する防振部材２６を備えている。この防振部材２６は弾性ゴム、弾性樹脂、バネなど弾力性に富む部材である。傾斜多孔選別板１８の傾斜上端側を弾力支持またはヒンジ構造により取り付けた構成として（図示せず）、防振部材２６との相乗作用により傾斜多孔選別板１８全体の波動性を高めて選別効果の向上を図ることも可能である。
【００１６】
選別室５の上方に連なる吸引閉空間９およびその吸引閉空間９の上部に形成された負圧調整室１０の後方には、被選別穀物の投入空間２７を形成しており、２８は被選別穀物の投入口、２９は被選別穀物の流し板であって、投入口２８から投入した被選別穀物は流し板２９を流下して選別室５の多孔選別板４上に移動して選別される。被選別穀物の投入空間２７内には、吸引閉空間９と区画する隔壁３０を設けてあり、隔壁３０は吸引閉空間９の壁面との取付け部を回動可能とし、若干の角度調節も可能にしてある。
【００１７】
本発明に係る穀物選別装置１においては、吸引排風機１１による吸引能力を装置の周辺に細塵の飛散浮遊が生じない程度に内部の負圧状態が保たれるように調整し、圧風送風機７の圧風送風能力を選別室５における多孔選別板４上での効率のよい被選別穀物の流動層選別が行われるように調整する。
【００１８】
被選別穀物は被選別穀物の投入口２８から投入するが、投入された被選別穀物は被選別穀物の流し板２９を流下して、選別室５の多孔選別板４上に移行し、多孔選別板４上では圧風送風機７により下方から吹き上げる圧風により流動層を形成し、流動層上には細塵が浮上するともに、多孔選別板４上の流動層上に浮上した細塵は、吸引閉空間９内を負圧調整室１０に向かう吸引風に乗って負圧調整室１０に入り、負圧調整室１０内の旋回路１３を多孔筒状フィルタ１２の周囲を旋回しながら排塵ダクト１５を経て吸引排風機１１により排出されるとともに、その一部は圧風送風機７の吸引側にダクト１６により連通させてある多孔筒状フィルタ１２に吸引される過程で多孔筒状フィルタ１２の周面で細塵が除去されたうえ、圧風送風機７に吸引される。このため圧風送風機７の圧風送風能力は多孔筒状フィルタ１２内の負圧状態により、選別室５内に多孔選別板４を透過して圧風送風機７により送風される圧風の風圧が自動平衡調整される。このため、選別能力および細塵飛散防止の両面から良好な平衡状態を保持するように初期設定をするのみで、流動選別される被選別穀物の単位時間当たりの投入量や水分、夾雑物の混在比率あるいはその種類などの性状の変化にかかわらず、作動中の選別能力および細塵飛散防止ともに良好な状態を維持できることになる。
【００１９】
一方、前記のように細塵が選別除去された被選別穀物は、穀粒に粗大異物が混在したままで選別室５の前面の堰２１を越えて後続粗大異物除去処理部３の傾斜多孔選別板１８上に溢流するが、後続粗大異物除去処理部３において穀粒から粗大異物が分離除去され、穀粒が収集されるとともに粗大異物が排除される。すなわち、後続粗大異物除去処理部３の傾斜多孔選別板１８の傾斜基端側に溢流した被選別穀物は穀粒は傾斜多孔選別板１８の傾斜下方に流下する過程で穀粒は傾斜多孔選別板１８を透過し、傾斜多孔選別板１８の上面に残る粗大異物は傾斜下方に移動して傾斜下端から排除される。
【００２０】
本発明に係る穀物選別装置１の後続粗大異物除去処理部３は、傾斜多孔選別板１８の上面を覆う可撓性でかつ多孔状の飛散防止シート１９を備えており、この飛散防止シート１９はその上端縁を固定して略全面にわたって上下浮動可能に設けてあるとともに、傾斜多孔選別板１８は加振手段２０である電動加振機２３により振動が与えられるので、堰２１を越えて波打つように傾斜多孔選別板１８の上面に溢流する被選別穀物の波動運動との相乗作用により、傾斜多孔選別板１８の上面を覆う飛散防止シート１９がはためく作動を繰り返して被選別穀物を叩き付ける作用をするが、粗大異物に比べて硬度の高い穀粒により強い力が作用するので、穀粒と粗大異物との絡まりがほぐされて、傾斜多孔選別板１８からの穀粒の透過を円滑にするとともに、傾斜多孔選別板１８の上面での粗大異物の傾斜方向への移動を促進させる。そしてこの作用は、穀粒を透過方向にかつ粗大異物を流下方向に互いに異なる方向に引き離して粗大異物を分離排出することとなるので、後続粗大異物除去処理部３における被選別穀物のいっそう高い選別効果を得ることができる。
【００２１】
図示の実施の形態においては、傾斜多孔選別板１８の上面の突起２２による傾斜多孔選別板１８の上面と飛散防止シート１９との密着防止手段が施されているとともに、飛散防止シート１９は多孔状で通気を妨げないから、先行細塵除去処理部２の選別室５内の負圧による傾斜多孔選別板１８の上面と飛散防止シート１９との間の吸気作用に起因して傾斜多孔選別板１８の上面に飛散防止シート１９が密着することがなく、被選別穀物の選別が妨げられることがない。そのうえ、多孔状の飛散防止シート１９を通して生じる吸気作用によって周辺に浮遊する細塵が選別室５内に吸引されるので、細塵の飛散浮遊防止効果を期待することができる。
【図面の簡単な説明】
【００２２】
【図１】本発明の一実施の形態に係る穀物選別装置の断面図である。
【図２】同上全体斜視図である。
【図３】同上要部の作用説明図である。
【符号の説明】
【００２３】
１  穀物選別装置
２  先行細塵除去処理部
３  後続粗大異物除去処理部
４  多孔選別板
５  選別室
６  圧風送風室
７  圧風送風機
８  選別閉空間
９  吸引閉空間
１０  負圧調整室
１１  吸引排風機
１２  多孔筒状フィルタ
１３  旋回路
１４  塵埃吸出口
１５  排塵ダクト
１６  ダクト
１７  開閉蓋
１８  傾斜多孔選別板
１９  飛散防止シート
２０  加振手段
２１  堰
２２  突起
２３  電動加振機
２４  穀粒流下案内樋
２５  支持脚
２６  防振部材
２７  投入空間
２８  被選別穀物の投入口
２９  被選別穀物の流し板
３０  隔壁
【図１】
2009254966.tif 000003
【図２】
2009254966.tif 000004
【図３】
2009254966.tif 000005